(57)【要約】【課題】発色性がよく、目詰まり回復性と吐出安定性に優れたインクセットを提供することを目的とする。【解決手段】  少なくとも、シアンインク、マゼンタインク、及びイエローインクを備えたインクセットであって、前記インクセットに備えられた各インクは、水と、前記各インクの総量１００質量％に対して５質量％以上の顔料と、グリセリンと、分子量１２０未満のベタイン化合物と、をそれぞれ含み、前記各インク間で、前記顔料の含有割合の差が最大で３．０質量％以上であり、かつ、前記水の含有割合の差が最大で３．０質量％以下であり、前記各インクのうち、前記顔料の含有割合が最大となるインクと、前記水分の含有割合が最大となるインクと、前記グリセリン及び前記ベタイン化合物の合計含有割合が最大となるインクと、が同一のインクである、インクセット。【選択図】なし【特許請求の範囲】
【請求項１】
少なくとも、シアンインク、マゼンタインク、及びイエローインクを備えたインクセットであって、
前記インクセットに備えられた各インクは、水と、前記各インクの総量１００質量％に対して５質量％以上の顔料と、グリセリンと、分子量１２０未満のベタイン化合物と、をそれぞれ含み、
前記各インク間で、前記顔料の含有割合の差が最大で３．０質量％以上であり、かつ、前記水の含有割合の差が最大で３．０質量％以下であり、
前記各インクのうち、前記顔料の含有割合が最大となるインクと、前記水分の含有割合が最大となるインクと、前記グリセリン及び前記ベタイン化合物の合計含有割合が最大となるインクと、が同一のインクである、
インクセット。
【請求項２】
ブラックインクをさらに備え、
前記ブラックインクは、水と、前記ブラックインクの総量１００質量％に対して５．０質量％以上の顔料と、グリセリンと、分子量１２０未満のベタイン化合物と、を含む、
請求項１に記載のインクセット。
【請求項３】
前記各インクの粘度差が、最大で１．０ｍＰａ・ｓ以下である、請求項１又は２に記載のインクセット。
【請求項４】
前記各インクの少なくともいずれかがトリメチロールプロパンをさらに含み、
前記各インク間で、前記各インクの総量１００質量％に対する前記顔料及び前記トリメチロールプロパンの合計含有割合の差が、最大で３．０質量％以下である、請求項１〜３のいずれか１項に記載のインクセット。
【請求項５】
前記各インクの水の含有割合が、前記各インクの総量１００質量％に対して５０〜６０質量％である、請求項１〜４のいずれか１項に記載のインクセット。
【請求項６】
１種以上の特色インクをさらに備え、
前記特色インクは、前記各インクが有する各色相のいずれとも３０°以上異なる色相を有する、請求項１〜５のいずれか１項に記載のインクセット。
【請求項７】
請求項１〜６のいずれか１項に記載のインクセットを収容するインク収容部と、
前記インクセットに備えられた各インクを吐出するためのノズルを有する記録ヘッドと、
前記ノズルを同一のキャップでキャッピングするキャップ部と、を備える、
インクジェット記録装置。
【発明の詳細な説明】
【技術分野】
【０００１】
本発明は、インクセットに関する。
【背景技術】
【０００２】
インクジェット記録は、インクの小滴を飛翔させ、紙や透明フィルム等の記録媒体に付着させる方法である。この方法は、比較的安価な装置で、高解像度及び高品位な画像を高速で記録することができる。このようなインクジェット記録において、ノズル抜け、噴射曲がりを防止し、吐出安定性を向上する手段として、所定のインクセットを用いる方法が知られている。
【０００３】
例えば、特許文献１には、全湿度において、水分に関る平衡がよく一致し、ノズル抜け、噴射曲がりを防止でき、信頼性が高く、目詰まりを起こしにくいインクセットを提供することを目的として、少なくとも着色剤、湿潤剤、及び樹脂を含有するインクを２種以上組み合わせてなるインクセットにおいて、前記インクセットにおける各インクが異なる種類の湿潤剤を少なくとも１種含み、前記各インクにおける湿潤剤総量の最大値と最小値との差の該最大値に対する比率、及び温度２３℃で湿度５０％ＲＨでの平衡時残存水分量の最大値と最小値との差の該最大値に対する比率が、それぞれ５％以下であるインクセットが開示されている。
【０００４】
また、特許文献２には、普通紙のみならず水吸収性の劣る、無機顔料が塗工された印刷用塗工紙においてもカラーブリードが発生せず、乾燥性にも優れ、吐出安定性及び保存性に優れ、紙のコックリングがない優れた印刷物を形成できるという優れた画像形成が可能となるインクセットを提供することを目的として、少なくとも水、水不溶性の色材、水溶性有機溶剤、界面活性剤を含む水性インクのインクセットにおいて、前記インクセットが少なくともブラックインク、シアン、マゼンタ、イエローの各カラーインクからなり、１）ブラックインクと、ブラック以外のカラーインクのうち少なくとも１ 種類とは異なった水溶性有機溶剤を用いること、２）ブラック以外のカラーインクのみで用いられる水溶性有機溶剤の表面張力が、ブラックインクのみで用いられる水溶性有機溶剤の表面張力よりも高い、記録用インクセットが開示されている。
【先行技術文献】
【特許文献】
【０００５】
【特許文献１】特開２００９−０４０８５８号公報
【特許文献２】特開２００７−１４６１３５号公報
【発明の概要】
【発明が解決しようとする課題】
【０００６】
ところで、記録装置を長期間放置しインクが乾燥すると、ノズルをフラッシングした場合におけるノズルの目詰まりの回復性が劣る。また、記録装置を長期間放置しインクが増粘すると、噴射曲がり等が生じやすくなり、吐出安定性に劣る。
【０００７】
特に、インクセットの発色性を重視すると、発色性の比較的低い顔料を用いたインクには、その顔料を多量に含有させる必要があるため、インクセットに備えられた各インク間の顔料の含有割合の差が大きくなる。この場合に、インクセットに備えられた各インクのうち顔料の含有割合が多いインクほど乾燥しやすくなる。また、インクを吐出するヘッドがキャップされた状態で長期間放置されると、特定のインクにおいて急激な増粘が起こる。これらの結果、インク間の乾燥しにくさと増粘しにくさとを揃えることはより困難となる。そのため、目詰まり回復性及び吐出安定性の問題がより顕著となる。このように、従来、インクセットにおける、発色の向上と、目詰まり回復性及び吐出安定性の向上の間にはトレードオフの関係がある。しかしながら、特許文献１及び２に記載のようなインクセットでは、発色性を良好にしつつ、目詰まり回復性及び吐出安定性を向上させるには、まだ十分とはいえない。
【０００８】
本発明は、上述の課題の少なくとも一部を解決するためになされたものであり、発色性がよく、目詰まり回復性と吐出安定性に優れたインクセットを提供することを目的とする。
【課題を解決するための手段】
【０００９】
本発明者らは、上記課題を解決するために鋭意検討した。その結果、インクセットに備えられた各インク間の組成を顔料の含有割合に応じて調整することにより上記課題を解決できることを見出して、本発明を完成させた。
【００１０】
すなわち、本発明は以下のとおりである。
〔１〕
少なくとも、シアンインク、マゼンタインク、及びイエローインクを備えたインクセットであって、
前記インクセットに備えられた各インクは、水と、前記各インクの総量１００質量％に対して５質量％以上の顔料と、グリセリンと、分子量１２０未満のベタイン化合物と、をそれぞれ含み、
前記各インク間で、前記顔料の含有割合の差が最大で３．０質量％以上であり、かつ、前記水の含有割合の差が最大で３．０質量％以下であり、
前記各インクのうち、前記顔料の含有割合が最大となるインクと、前記水分の含有割合が最大となるインクと、前記グリセリン及び前記ベタイン化合物の合計含有割合が最大となるインクと、が同一のインクである、
インクセット。
〔２〕
ブラックインクをさらに備え、
前記ブラックインクは、水と、前記ブラックインクの総量１００質量％に対して５．０質量％以上の顔料と、グリセリンと、分子量１２０未満のベタイン化合物と、を含む、
前項〔１〕に記載のインクセット。
〔３〕
前記各インクの粘度差が、最大で１．０ｍＰａ・ｓ以下である、前項〔１〕又は〔２〕に記載のインクセット。
〔４〕
前記各インクの少なくともいずれかがトリメチロールプロパンをさらに含み、
前記各インク間で、前記各インクの総量１００質量％に対する前記顔料及び前記トリメチロールプロパンの合計含有割合の差が、最大で３．０質量％以下である、前項〔１〕〜〔３〕のいずれか１項に記載のインクセット。
〔５〕
前記各インクの水の含有割合が、前記各インクの総量１００質量％に対して５０〜６０質量％である、前項〔１〕〜〔４〕のいずれか１項に記載のインクセット。
〔６〕
１種以上の特色インクをさらに備え、
前記特色インクは、前記各インクが有する各色相のいずれとも３０°以上異なる色相を有する、前項〔１〕〜〔５〕のいずれか１項に記載のインクセット。
〔７〕
前項〔１〕〜〔６〕のいずれか１項に記載のインクセットを収容するインク収容部と、
前記インクセットに備えられた各インクを吐出するためのノズルを有する記録ヘッドと、
前記ノズルを同一のキャップでキャッピングするキャップ部と、を備える、
インクジェット記録装置。
【図面の簡単な説明】
【００１１】
【図１】本実施形態におけるインクジェット記録装置の構成を示す斜視図である。
【図２】本実施形態におけるインクジェットヘッドに設けられたノズル孔の配列を示す概略図である。
【図３】本実施形態におけるインクジェットヘッドの内部構成を示す部分断面図である。
【発明を実施するための形態】
【００１２】
以下、必要に応じて図面を参照しつつ、本発明を実施するための形態（以下、「本実施形態」という。）について詳細に説明するが、本発明はこれに限定されるものではなく、その要旨を逸脱しない範囲で様々な変形が可能である。なお、図面中、同一要素には同一符号を付すこととし、重複する説明は省略する。また、上下左右などの位置関係は、特に断らない限り、図面に示す位置関係に基づくものとする。さらに、図面の寸法比率は図示の比率に限られるものではない。
【００１３】
〔インクセット〕
本実施形態に係るインクセットは、少なくとも、シアンインク、マゼンタインク、及びイエローインクを備えたインクセットであって、前記インクセットに備えられた各インクは、水と、前記各インクの総量１００質量％に対して５質量％以上の顔料と、グリセリンと、分子量１２０未満のベタイン化合物と、をそれぞれ含み、前記各インク間で、前記顔料の含有割合の差が最大で３．０質量％以上であり、かつ、前記水の含有割合の差が最大で３．０質量％以下であり、前記各インクのうち、前記顔料の含有割合が最大となるインクと、前記水分の含有割合が最大となるインクと、前記グリセリン及び前記ベタイン化合物の合計含有割合が最大となるインクと、が同一のインクである。
【００１４】
本実施形態に係るインクセットは、インクセットに備えられた各インク間の顔料の含有割合の差が最大で３．０質量％以上であっても、インクセットの目詰まり回復性及び吐出安定性に優れる。例えば多くのシアン顔料は少量でも発色性がよく、これに比較して多くのマゼンダ顔料は発色性をよくしようとすると、多量の顔料を用いる必要がある。そのため、インクセット全体としての発色性を向上させるために、顔料の差が最大で３．０質量％以上となることが必要である。
【００１５】
以下、目詰まり回復性及び吐出安定性が優れることについて、さらに説明する。通常、インクジェット記録装置では、各色のインクごとに吐出に関する条件を設定しないため、インクセットに備えられた各色のインクの粘度などに差があると、あるインクの吐出速度は相対的に速く、他のインクの吐出速度は相対的に遅くなるなど安定した吐出が達成できない。そのため、インクセットに備えられた各インク間で物性をそろえることが好ましい。しかしながら、インク調製当初に各インク間で物性がそろっていたとしても、経時的にインクが乾燥や増粘等すると、各インク間の物性にばらつきが生じ安定した吐出が達成できないことがある。これは、経時的な物性の変化がインクに含まれる顔料濃度などに応じて異なることに起因する。本実施形態に係るインクセットによれば、上記構成を有することにより、インク間の乾燥や増粘の差を小さくすることができる。これにより、インクセットの目詰まり回復性及び吐出安定性が優れることとなる。
【００１６】
グリセリン及び分子量１２０未満のベタイン化合物は、シアンインク、マゼンタインク、及びイエローインクの他、後述する、ブラックインクにおいて保湿剤として働き得る。グリセリン及び分子量１２０未満のベタイン化合物を併用することにより、インクセットの目詰まり回復性及び吐出安定性が優れる。これは、グリセリン及び分子量１２０未満のベタイン化合物を併用することにより、低粘度かつ高い保湿性と吐出安定性を確保できる。これは、グリセリン及び分子量１２０未満のベタイン化合物を併用することにより、低分子量で複数の強い極性基と疎水基を有するため、単独で用いるよりもインクの分散安定性を確保できるためと考えられる。
【００１７】
なお、「インクセットに備えられた各インク」には、シアンインク、マゼンタインク、及びイエローインクが含まれる他、インクセットが、後述するブラックインク、特色インクを備える場合は、それらのインクも含まれる。
【００１８】
本実施形態に係るインクセットは、少なくとも、シアンインク、マゼンタインク、及びイエローインクを備え、ブラックインク、特色インクをさらに備えてもよい。以下、各インクについて説明する。
【００１９】
〔シアンインク〕
シアンインクは、水と、シアンインクの総量１００質量％に対して５質量％以上の顔料と、グリセリンと、分子量１２０未満のベタイン化合物と、をそれぞれ含む。シアンインクに含まれる顔料としては、特に限定されないが、例えば、Ｃ．Ｉ．ピグメントブルー  １、２、３、１５、１５：１、１５：２、１５：３、１５：３４、１５：４、１６、１８、２２、２５、６０、６５、６６、Ｃ．Ｉ．バットブルー  ４、６０が挙げられる。
【００２０】
シアンインクに含まれる顔料の含有割合は、シアンインクの総量１００質量％に対して、５質量％以上であり、５．５質量％以上が好ましく、６質量％以上がより好ましい。顔料の含有割合が５質量％以上であることにより、インクセットの発色性により優れる。また、シアンインクに含まれる顔料の含有割合は、シアンインクの総量１００質量％に対して、１２質量％以下が好ましく、１０質量％以下がより好ましく、７質量％以下がさらに好ましい。顔料の含有割合が１２質量％以下であることにより、発色とインク低粘度化と目詰まり回復性と吐出安定性により優れる傾向にある。
【００２１】
シアンインクに含まれる水としては、特に限定されないが、例えば、イオン交換水、限外濾過水、逆浸透水、蒸留水等の純水、又は超純水を用いることが好ましい。特に、これらの水を、紫外線照射又は過酸化水素添加等により滅菌処理した水は、長期間に亘ってカビやバクテリアの発生がより防止される傾向にある。
【００２２】
シアンインクに含まれる水の含有割合は、シアンインクを１００質量％として、５０〜６０質量％が好ましい。水の含有割合が上記範囲内であることにより、発色と目詰まり回復性と吐出安定性とカール抑制により優れる傾向にある。
【００２３】
シアンインクに含まれるグリセリンの含有割合は、シアンインクを１００質量％として、３〜２０質量％が好ましく、３〜１０質量％がより好ましく、４〜１０質量％がさらに好ましい。グリセリンの含有割合が上記範囲内であることにより、吐出安定性とインク乾燥性と定着性により優れる傾向にある。
【００２４】
シアンインクに含まれる分子量１２０未満のベタイン化合物としては、特に限定されないが、例えば、トリメチルグリシン、ジメチルグリシン、グリシンが挙げられる。シアンインクに含まれるベタイン化合物の含有割合は、シアンインクを１００質量％として、３〜２０質量％が好ましく、５〜１５質量％がより好ましく、７〜１３質量％がさらに好ましい。ベタイン化合物の含有割合が上記範囲内であることにより、インクの乾燥増粘抑制と吐出安定性とカール抑制により優れる傾向にある。
【００２５】
〔マゼンタインク〕
マゼンタインクは、水と、マゼンタインクの総量１００質量％に対して５質量％以上の顔料と、グリセリンと、分子量１２０未満のベタイン化合物と、をそれぞれ含む。マゼンタインクに含まれる顔料としては、特に限定されないが、例えば、Ｃ．Ｉ．ピグメントレッド  １、２、３、４、５、６、７、８、９、１０、１１、１２、１４、１５、１６、１７、１８、１９、２１、２２、２３、３０、３１、３２、３７、３８、４０、４１、４２、４８（Ｃａ）、４８（Ｍｎ）、５３、５７（Ｃａ）、５７：１、８８、１１２、１１４、１２２、１２３、１４４、１４６、１４９、１５０、１６６、１６８、１７０、１７１、１７５、１７６、１７７、１７８、１７９、１８４、１８５、１８７、２０２、２０９、２１９、２２４、２４５、又はＣ．Ｉ．ピグメントヴァイオレット  １９、２３、３２、３３、３６、３８、４３、５０、が挙げられる。
【００２６】
マゼンタインクに含まれる顔料の含有割合は、マゼンタインクの総量１００質量％に対して、５質量％以上であり、７質量％以上が好ましく、８質量％以上がより好ましい。顔料の含有割合が５質量％以上であることにより、インクセットの発色性により優れる。また、マゼンタインクに含まれる顔料の含有割合は、マゼンタインクの総量１００質量％に対して、１３質量％以下が好ましく、１１質量％以下がより好ましく、１０質量％以下がさらに好ましい。顔料の含有割合が１３質量％以下であることにより、発色とインク低粘度化と目詰まり回復性と吐出安定性により優れる傾向にある。
【００２７】
マゼンタインクに含まれる水としては、シアンインクで用い得る水と同様のものが挙げられる。マゼンタインクに含まれる水の含有割合は、マゼンタインクを１００質量％として、５０〜６０質量％が好ましい。水の含有割合が上記範囲内であることにより、発色と目詰まり回復性と吐出安定性とカール抑制により優れる傾向にある。
【００２８】
マゼンタインクに含まれるグリセリンの含有割合は、マゼンタインクを１００質量％として、３〜２０質量％が好ましく、３〜１０質量％がより好ましく、４〜１０質量％がさらに好ましい。グリセリンの含有割合が上記範囲内であることにより、吐出安定性とインク乾燥性と定着性により優れる傾向にある。
【００２９】
マゼンタインクに含まれるベタイン化合物としては、シアンインクで用い得るベタイン化合物と同様のものが挙げられる。マゼンタインクに含まれるベタイン化合物の含有割合は、マゼンタインクを１００質量％として、３〜２０質量％が好ましく、５〜１５質量％がより好ましく、７〜１３質量％がさらに好ましい。ベタイン化合物の含有割合が上記範囲内であることにより、インクの乾燥増粘抑制と吐出安定性とカール抑制により優れる傾向にある。
【００３０】
〔イエローインク〕
イエローインクは、水と、イエローインクの総量１００質量％に対して５質量％以上の顔料と、グリセリンと、分子量１２０未満のベタイン化合物と、をそれぞれ含む。イエローインクに含まれる顔料としては、特に限定されないが、例えば、Ｃ．Ｉ．ピグメントイエロー  １、２、３、４、５、６、７、１０、１１、１２、１３、１４、１６、１７、２４、３４、３５、３７、５３、５５、６５、７３、７４、７５、８１、８３、９３、９４、９５、９７、９８、９９、１０８、１０９、１１０、１１３、１１４、１１７、１２０、１２４、１２８、１２９、１３３、１３８、１３９、１４７、１５１、１５３、１５４、１６７、１７２、１８０が挙げられる。
【００３１】
イエローインクに含まれる顔料の含有割合は、イエローインクの総量１００質量％に対して、４質量％以上であり、５質量％以上が好ましく、６質量％以上がより好ましい。顔料の含有割合が５質量％以上であることにより、インクセットの発色性により優れる。また、イエローインクに含まれる顔料の含有割合は、イエローインクの総量１００質量％に対して、１３質量％以下が好ましく、１０質量％以下がより好ましく、８質量％以下がさらに好ましい。顔料の含有割合が１０質量％以下であることにより、発色とインク低粘度化と目詰まり回復性と吐出安定性により優れる傾向にある。
【００３２】
イエローインクに含まれる水としては、シアンインクで用い得る水と同様のものが挙げられる。イエローインクに含まれる水の含有割合は、イエローインクを１００質量％として、５０〜６０質量％が好ましい。水の含有割合が上記範囲内であることにより、発発色と目詰まり回復性と吐出安定性とカール抑制により優れる傾向にある。
【００３３】
イエローインクに含まれるグリセリンの含有割合は、イエローインクを１００質量％として、３〜２０質量％が好ましく、３〜１０質量％がより好ましく、４〜１０質量％がさらに好ましい。グリセリンの含有割合が上記範囲内であることにより、吐出安定性とインク乾燥性と定着性により優れる傾向にある。
【００３４】
イエローインクに含まれるベタイン化合物としては、シアンインクで用い得るベタイン化合物と同様のものが挙げられる。イエローインクに含まれるベタイン化合物の含有割合は、イエローインクを１００質量％として、３〜２０質量％が好ましく、５〜１５質量％がより好ましく、７〜１３質量％がさらに好ましい。ベタイン化合物の含有割合が上記範囲内であることにより、インクの乾燥増粘抑制と吐出安定性とカール抑制により優れる傾向にある。
【００３５】
〔ブラックインク〕
本実施形態に係るインクセットは、ブラックインクをさらに備えることができる。ブラックインクは、水と、ブラックインクの総量１００質量％に対して５質量％以上の顔料と、グリセリンと、分子量１２０未満のベタイン化合物と、をそれぞれ含む。ブラックインクに含まれる顔料としては、特に限定されないが、例えば、カーボンブラックが挙げられる。ブラックインクに使用されるカーボンブラックとしては、特に限定されないが、例えば、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等（以上、三菱化学社（Ｍｉｔｓｕｂｉｓｈｉ  Ｃｈｅｍｉｃａｌ  Ｃｏｒｐｏｒａｔｉｏｎ）製）、Ｒａｖｅｎ  ５７５０、Ｒａｖｅｎ  ５２５０、Ｒａｖｅｎ  ５０００、Ｒａｖｅｎ  ３５００、Ｒａｖｅｎ  １２５５、Ｒａｖｅｎ  ７００等（以上、コロンビアカーボン（Ｃａｒｂｏｎ  Ｃｏｌｕｍｂｉａ）社製）、Ｒｅｇａ１  ４００Ｒ、Ｒｅｇａ１  ３３０Ｒ、Ｒｅｇａ１  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００等（キャボット社（ＣＡＢＯＴ  ＪＡＰＡＮ  Ｋ．Ｋ．）製）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂ１ａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４（以上、デグッサ（Ｄｅｇｕｓｓａ）社製）が挙げられる。
【００３６】
ブラックインクに含まれ得る顔料の含有割合は、ブラックインクの総量１００質量％に対して、５質量％以上が好ましく、６質量％以上がより好ましく、７質量％以上がさらに好ましい。顔料の含有割合が５質量％以上であることにより、インクセットの発色性により優れる傾向にある。また、ブラックインクに含まれる顔料の含有割合は、ブラックインクの総量１００質量％に対して、１５質量％以下が好ましく、１３質量％以下がより好ましく、１１質量％以下がさらに好ましい。顔料の含有割合が１５質量％以下であることにより、発色とインク低粘度化と目詰まり回復性と吐出安定性により優れる傾向にある。
【００３７】
ブラックインクで用い得る水としては、シアンインクで用い得る水と同様のものが挙げられる。ブラックインクに含まれる水の含有割合は、ブラックインクを１００質量％として、５０〜６０質量％が好ましい。水の含有割合が上記範囲内であることにより、発色と目詰まり回復性と吐出安定性とカール抑制により優れる傾向にある。
【００３８】
ブラックインクに含まれ得るグリセリンの含有割合は、ブラックインクを１００質量％として、３〜２０質量％が好ましく、３〜１０質量％がより好ましく、４〜１０質量％がさらに好ましい。グリセリンの含有割合が上記範囲内であることにより、吐出安定性とインク乾燥性と定着性により優れる傾向にある。
【００３９】
ブラックインクに含まれるベタイン化合物としては、シアンインクで用い得るベタイン化合物と同様のものが挙げられる。ブラックインクに含まれるベタイン化合物の含有割合は、ブラックインクを１００質量％として、３〜２０質量％が好ましく、５〜１５質量％がより好ましく、７〜１３質量％がさらに好ましい。ベタイン化合物の含有割合が上記範囲内であることにより、インクの乾燥増粘抑制と吐出安定性とカール抑制により優れる傾向にある。
【００４０】
〔特色インク〕
本実施形態に係るインクセットは、１種以上の特色インクをさらに備えることができる。特色インクは、シアンインク、マゼンタインク、イエローインク、及び、備えられ得る、ブラックインクが有する各色相のいずれとも３０°以上異なる色相を有することが好ましい。このような特色インクとしては、オレンジインク、レッドインク、グリーンインク、ブルーインク等が挙げられる。なお、色相は、分光色彩計、分光測色計、色差計により測定することができる。
【００４１】
特色インクがオレンジインクの場合に用い得る顔料としては、特に限定されないが、例えば、Ｃ．Ｉ．ピグメントオレンジ  １，２，５，７，１３，１４，１５，１６，２４，３４，３６，３８，４０，４３，６３が挙げられる。
【００４２】
特色インクがレッドインクの場合に用い得る顔料としては、特に限定されないが、例えば、上記マゼンダインクの赤みのものや、上記マゼンダインクと上記イエローインクの混合顔料が挙げられる。
【００４３】
特色インクがグリーンインクの場合に用い得る顔料としては、特に限定されないが、例えば、Ｃ．Ｉ．ピグメント  グリーン  ７，１０、３６が挙げられる。
【００４４】
特色インクがブルーインクの場合に用い得る顔料としては、特に限定されないが、例えば、上記シアンインクの青みのものや、上記シアンインクとマゼンダインクの混合顔料が挙げられる。
【００４５】
特色インクに含まれ得る顔料の含有割合は、４質量％以上が好ましく、５質量％以上がより好ましく、６質量％以上がさらに好ましい。顔料の含有割合が４質量％以上であることにより、インクセットの発色性により優れる傾向にある。また、特色インクに含まれる顔料の含有割合は、１５質量％以下が好ましく、１２質量％以下がより好ましく、１０質量％以下がさらに好ましい。顔料の含有割合が１５質量％以下であることにより、色とインク低粘度化と目詰まり回復性と吐出安定性により優れる傾向にある。
【００４６】
特色インクは水を含んでもよい。特色インクで用い得る水としては、シアンインクで用い得る水と同様のものが挙げられる。特色インクに含まれる水の含有割合は、特色インクを１００質量％として、５０〜６０質量％が好ましい。水の含有割合が上記範囲内であることにより、発色と目詰まり回復性と吐出安定性とカール抑制により優れる傾向にある。
【００４７】
特色インクはグリセリンを含んでもよい。特色インクに含まれ得るグリセリンの含有割合は、特色インクを１００質量％として、３〜２０質量％が好ましく、３〜１０質量％がより好ましく、４〜１０質量％がさらに好ましい。グリセリンの含有割合が上記範囲内であることにより、吐出安定性とインク乾燥性と定着性により優れる傾向にある。
【００４８】
特色インクは分子量１２０未満のベタイン化合物を含んでもよい。特色インクに含まれるベタイン化合物としては、シアンインクで用い得るベタイン化合物と同様のものが挙げられる。特色インクに含まれ得るベタイン化合物の含有割合は、特色インクを１００質量％として、３〜２０質量％が好ましく、５〜１５質量％がより好ましく、７〜１３質量％がさらに好ましい。ベタイン化合物の含有割合が上記範囲内であることにより、インクの乾燥増粘抑制と吐出安定性とカール抑制により優れる傾向にある。
【００４９】
（顔料の含有割合の差）
シアンインク、マゼンタインク、イエローインク、並びに、インクセットに備えられ得る、ブラックインク、及び特色インクの間で、発色を重視すると、顔料の含有割合の差は、最大で３．０質量％以上となる。各インクの顔料の含有割合の差が最大で３．０質量％以上であっても、本発明の保湿剤と水分量を調整することでインクセットの目詰まり回復性及び吐出安定性に優れる。また、各インクの顔料の含有割合の差は、最大で１０質量％以下が好ましく、７質量％以下がより好ましく、５質量％以下がさらに好ましい。顔料の含有割合の差が１０質量％以下であることにより、インクの乾燥増粘抑制と吐出安定性の色間差が少なくなる傾向にある。
【００５０】
（水の含有割合の差）
シアンインク、マゼンタインク、イエローインク、並びに、インクセットに備えられ得る、ブラックインク、及び特色インクの間で、水の含有割合の差は、最大で３．０質量％以下であり、２．０質量％以下が好ましく、１．０質量％以下がより好ましい。各インクの水の含有割合の差が最大で３．０質量％以下であることにより、インクの乾燥増粘抑制と吐出安定性の色間差が少なくなるにより優れる。また、各インクの水の含有割合の差の下限は、特に限定されないが、０質量％以上が好ましい。
【００５１】
本実施形態に係るインクセットにおいては、シアンインク、マゼンタインク、イエローインク、並びに、インクセットに備えられ得る、ブラックインク、及び特色インクのうち、顔料の含有割合が最大となるインクと、水分の含有割合が最大となるインクと、グリセリン及び前記ベタイン化合物の合計含有割合が最大となるインクと、が同一のインクである。これにより、乾燥し易いインクが乾燥し難くなり、インクの乾燥増粘抑制と吐出安定性の色間差が少なくなる。
【００５２】
（粘度差）
シアンインク、マゼンタインク、イエローインク、並びに、インクセットに備えられ得る、ブラックインク、及び特色インクの粘度差は、最大で１．０ｍＰａ・ｓ以下が好ましく、０．５ｍＰａ・ｓ以下がより好ましく、０．２ｍＰａ・ｓ以下がさらに好ましい。各インクの粘度差が最大で１．０ｍＰａ・ｓ以下であることにより、吐出特性のインク間差が小さくなり画質が優れる傾向にある。なお、粘度は実施例に記載の方法により測定することができる。
【００５３】
（添加剤）
シアンインク、マゼンタインク、イエローインク、並びに、インクセットに備えられ得る、ブラックインク、及び特色インクは、その他の添加剤を含んでもよい。その他の添加剤としては、特に限定されないが、例えば、トリメチロールプロパン、樹脂、浸透剤、保湿剤、界面活性剤、ピロリドン誘導体、ｐＨ調整剤などが挙げられる。
【００５４】
（トリメチロールプロパン）
シアンインク、マゼンタインク、イエローインク、並びに、インクセットに備えられ得る、ブラックインク、及び特色インクは、トリメチロールプロパンをさらに含むことが好ましい。本発明では、顔料と同じように、保湿性が小さく粘度増加効果が高いものとして、トリメチロールプロパンを見出した。トリメチロールプロパンを含むことにより、顔料が少ないインクで、顔料が多いインクよりも蒸発し難いインクでも保湿性を高めずに他のインクと粘度差が小さくなる傾向にある。シアンインク、マゼンタインク、イエローインク、並びに、インクセットに備えられ得る、ブラックインク、及び特色インクの間で、各インクの総量１００質量％に対する顔料及びトリメチロールプロパンの合計含有割合の差は、最大で３．０質量％以下が好ましく、２．０質量％以下がより好ましく、１．０質量％以下がさらに好ましい。顔料及びトリメチロールプロパンの合計含有割合の差が３．０質量％以下であることにより、インク間の粘度と保湿力の色間差が小さくなる傾向にある。
【００５５】
（樹脂）
本実施形態で用いる各インクは、樹脂をさらに含有することが好ましい。樹脂としては、例えば、溶媒中にポリマー成分をエマルションの形態で分散もしくは溶解させたものを用いることができる。このなかでも、エマルションの形態で分散もしくは溶解させたものが好ましい。このような樹脂を用いることにより、耐水性や耐擦性により優れた記録物が得られる傾向にある。樹脂としては、特に限定されないが、例えば、アクリル樹脂、酢酸ビニル樹脂、塩化ビニル樹脂、ブタジエン樹脂、スチレン樹脂、ポリエステル樹脂、架橋アクリル樹脂、架橋スチレン樹脂、ベンゾグアナミン樹脂、フェノール樹脂、シリコーン樹脂、エポキシ樹脂、ウレタン樹脂、パラフィン樹脂、フッ素樹脂、及び水溶性樹脂、並びにこれらの樹脂を構成する単量体を組み合わせた共重合体が挙げられる。共重合体としては、特に限定されないが、例えば、スチレンブタジエン樹脂、スチレンアクリル樹脂が挙げられる。また、樹脂としては、これら樹脂を含むポリマーラテックスを用いることができる。ポリマーラテックスとしては、例えば、アクリル樹脂、スチレンアクリル樹脂、スチレン樹脂、架橋アクリル樹脂、架橋スチレン樹脂の微粒子を含むポリマーラテックスが挙げられる。
【００５６】
このなかでも、アクリル樹脂、ウレタン樹脂、ポリエステル樹脂、及び水溶性樹脂並びにこれらの樹脂を構成する単量体を組み合わせた共重合体が好ましく、アクリル樹脂その共重合体がより好ましい。これら樹脂を用いることにより、得られる記録物の耐擦性がより向上する傾向にある。
【００５７】
アクリル樹脂としては、特に限定されないが、例えば、アクリレート又はアクリル酸と、他のモノマーとから重合されたアクリル樹脂が好ましく、他のモノマーとしてスチレンを用いたスチレンアクリル酸共重合体などのスチレンアクリル樹脂がより好ましい。
【００５８】
なお、樹脂は、１種単独で用いてもよいし２種以上を併用してもよい。
【００５９】
（浸透剤）
本実施形態で用いる各インクは、浸透剤をさらに含有することが好ましい。インクが布帛に素早く浸透することによって、画像の滲みが少ない記録物を得ることができる。
【００６０】
このような浸透剤としては、特に限定されないが、例えば、多価アルコールのアルキルエーテル（グリコールエーテル類）及び１、２−アルキルジオールが好ましく挙げられる。当該グリコールエーテル類としては、特に限定されないが、例えば、エチレングリコールモノメチルエーテル、エチレングリコールモノエチルエーテル、エチレングリコールモノプロピルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノプロピルエーテル、ジエチレングリコールモノブチルエーテル、ジエチレングリコールモノ−ｔ−ブチルエーテル、トリエチレングリコールモノブチルエーテル、１−メチル−１−メトキシブタノール、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル、プロピレングリコールモノブチルエーテル、及びジプロピレングリコールモノブチルエーテルが挙げられる。また、上記１，２−アルキルジオールとしては、特に限定されないが、例えば、１，２−ペンタンジオール及び１，２−ヘキサンジオールが挙げられる。これらの他に、１，３−プロパンジオール、１，４−ブタンジオール、１，５−ペンタンジオール、１，６−ヘキサンジオール、１，７−ヘプタンジオール、及び１，８−オクタンジオール等の直鎖炭化水素のジオール類も挙げることができる。
【００６１】
浸透剤は、１種単独で用いてもよく、２種以上を組み合わせて用いてもよい。
【００６２】
浸透剤の含有割合は、各インクの総質量（１００質量％）に対して、０．１〜２０質量％が好ましく、０．５〜１０質量％がより好ましい。含有割合が０．１質量％以上であることにより、インクの布帛への浸透度を増大させることができる。一方、含有割合が２０質量％以下であることにより、画像に滲みが発生することを防止でき、またインクの粘度が高くならないようにすることができる。
【００６３】
（保湿剤）
本実施形態で用いるインクは、グリセリン、分子量１２０未満のベタイン化合物及びトリメチロールプロパン以外の保湿剤（湿潤剤）をさらに含むことが好ましい。保湿剤としては、一般にインクジェットインクに用いられるものであれば特に制限されることなく使用可能である。保湿剤の沸点は、好ましくは１８０℃以上であり、より好ましくは２００℃以上である。沸点が上記範囲内であることにより、インクに良好な保水性及び湿潤性を付与することができる。
【００６４】
高沸点の保湿剤の具体例としては、特に限定されないが、エチレングリコール、プロピレングリコール、ジエチレングリコール、トリエチレングリコール、ペンタメチレングリコール、トリメチレングリコール、２−ブテン−１，４−ジオール、２−エチル−１，３−ヘキサンジオール、２−メチル−２，４−ペンタンジオール、トリプロピレングリコール、数平均分子量２０００以下のポリエチレングリコール、１，３−プロピレングリコール、イソプロピレングリコール、イソブチレングリコール、メソエリスリトール、及びペンタエリスリトールが挙げられる。
【００６５】
保湿剤は、１種単独で用いてもよく、２種以上を組み合わせて用いてもよい。インクが高沸点の保湿剤を含むことにより、開放状態で顔料インクが空気に触れている状態で放置しても、流動性及び再分散性を長時間維持できるインクを得ることができる。さらに、このようなインクは、インクジェット記録装置を用いた記録の途中又は中断後の再起動時に、ノズルの目詰まりが生じにくくなるため、インクの吐出安定性が優れたものとなる。上記保湿剤の含有割合は、３〜３０質量％が好ましい。含有割合賀状規範以内であることにより、インクの保湿性に優れ、蒸発し難さが優れる傾向にある。
【００６６】
（界面活性剤）
本実施形態で用いるインクは、界面活性剤を含むことが好ましい。当該界面活性剤としては、特に限定されないが、例えば、アセチレングリコール系界面活性剤、及びポリシロキサン系界面活性剤のうち少なくともいずれかが好ましい。インクがこれらの界面活性剤を含むことにより、布帛に付着したインクの乾燥性が一層良好となり、かつ、高速印刷が可能となる。
【００６７】
これらの中でも、インクへの溶解度が大きくなりインク中に異物が一層発生し難くなるため、ポリシロキサン系界面活性剤がより好ましい。
【００６８】
上記のアセチレングリコール系界面活性剤及びアセチレングリコール系界面活性剤としては、特に限定されないが、例えば、２，４，７，９−テトラメチル−５−デシン−４，７−ジオール及び２，４，７，９−テトラメチル−５−デシン−４，７−ジオールのアルキレンオキサイド付加物、並びに２，４−ジメチル−５−デシン−４−オール及び２，４−ジメチル−５−デシン−４−オールのアルキレンオキサイド付加物から選択される一種以上が好ましい。これらは、オルフィン１０４シリーズやオルフィンＥ１０１０等のＥシリーズ（エアプロダクツ社（Air Products Japan, Inc.）製商品名）、サーフィノール４６５やサーフィノール６１（日信化学工業社（Nissin Chemical Industry CO.,Ltd.）製商品名）等が挙げられる。
【００６９】
また、ポリシロキサン系界面活性剤としては、特に限定されないが、例えば、ＢＹＫ−３４７、ＢＹＫ−３４８（ビックケミー・ジャパン社（BYK Japan KK）製商品名）などが挙げられる。
【００７０】
上記の界面活性剤の含有割合は、インクの総質量（１００質量％）に対し、０．１〜３．０質量％であることが好ましい。
【００７１】
（ピロリドン誘導体）
本実施形態で用いるインクは、ピロリドン誘導体を含むことが好ましい。ピロリドン誘導体は、ヘッドのノズル面でのインクの乾燥固化を抑制して目詰まりや吐出不良等を低減できるという観点から好ましく用いることができる。ピロリドン誘導体としては、特に限定されないが、例えば、Ｎ−メチル−２−ピロリドン、Ｎ−エチル−２−ピロリドン、Ｎ−ビニル−２−ピロリドン、２−ピロリドン、Ｎ−ブチル−２−ピロリドン、５−メチル−２−ピロリドン等が挙げられる。ピロリドン誘導体を含有する場合には、その含有割合は、第１インクの全質量に対して、１質量％以上１０質量％以下であることが好ましい。
【００７２】
（ｐＨ調整剤）
本実施形態で用いるインクは、ｐＨ調整剤を含むことが好ましい。ｐＨ調整剤は、インクのｐＨ値の調整を容易にすることができる。ｐＨ調整剤としては、特に限定されないが、例えば、無機酸（例えば、硫酸、塩酸、硝酸等）、無機塩基（例えば、水酸化リチウム、水酸化ナトリウム、水酸化カリウム、アンモニア等）、有機塩基（トリエタノールアミン、ジエタノールアミン、モノエタノールアミン、トリプロパノールアミン）、有機酸（例えば、アジピン酸、クエン酸、コハク酸等）等が挙げられる。ｐＨ調製剤は、１種単独で用いてもよいし、２種以上混合して用いてもよい。
【００７３】
ｐＨ調整剤の含有割合は、0.05〜３質量％が好ましい。ｐＨ調整剤の含有割合が上記範囲内であることにより、顔料の帯電反発性に優れ顔料分散性が優れる傾向にある。
【００７４】
（その他の成分）
本実施形態で用いるインクは、その保存安定性及びヘッドからの吐出安定性を良好に維持するため、目詰まり改善のため、又はインクの劣化を防止するため、溶解助剤、粘度調整剤、ｐＨ調整剤、酸化防止剤、防腐剤、防黴剤、腐食防止剤、及び分散に影響を与える金属イオンを捕獲するためのキレート化剤などの、種々の添加剤を適宜添加することもできる。
【００７５】
〔インクジェット記録装置〕
本実施形態に係るインクジェット記録装置は、本実施形態に係るインクセットを収容するインク収容部と、インクセットに備えられた各インクを吐出するためのノズルを有する記録ヘッドと、ノズルを同一のキャップでキャッピングするキャップ部と、を備える。このような構成であると、記録装置の未使用状態が数ヶ月数年と長くなった時に、必然的にインク色間での水分蒸発と水分吸収に差が生じるため、特定ノズルの目詰まり対策として、特に本発明が有用となる。
【００７６】
同一キャップ内で長期保存した場合、蒸発し易いインクから特に水分蒸発が発生し、相対的に蒸発し難いインクには水分吸収が発生する。また、インク色間の蒸発差を少なくするには、インクの絶対的な蒸発や吸湿性だけではなく、インク色間の相対的な蒸発や吸湿性が大きくかかわっている。
【００７７】
発色を重視すると顔料量の色間差が発生し、水の蒸発力と吸湿力差や吐出性に色間差が発生してしまうが、その色間差を少なくすることが、保湿剤と水分量と顔料量や粘度の調製で可能である。特に、同一キャップでの記録装置の未使用期間が長いほど、本実施形態に係るインクセットを用いた場合にはノズル目詰まりが発生し難くなる。
【００７８】
以下、本実施形態で用い得るインクジェット記録装置の一例について、図１〜図３を参照して説明する。なお、以下の説明に用いる各図面では、各部材を認識可能な大きさとするため、各部材の縮尺を適宜変更している。本実施形態では、インクジェット記録装置として、インクジェットプリンター（以下、単に「プリンター」という。）を例示する。
【００７９】
図１は、本実施形態におけるプリンター１の構成を示す斜視図である。なお、このプリンター１は、シリアルプリンターを表している。図１に示すように、プリンター１は、インクジェットヘッド２（記録ヘッド）を搭載すると共にインクカートリッジ３（インク収容部）を着脱可能に装着するキャリッジ４と、インクジェットヘッド２の下方に配設され被記録媒体６が搬送されるプラテン５と、キャリッジ４を被記録媒体６の媒体幅方向に移動させるキャリッジ移動機構７と、被記録媒体６を媒体送り方向に搬送する媒体送り機構８と、を有するものである。加えて、プリンター１は、当該プリンター１全体の動作を制御する制御装置ＣＯＮＴを有している。なお、上記媒体幅方向とは、主走査方向（ヘッド走査方向）である。上記媒体送り方向とは、副走査方向（主走査方向に直交する方向）である。また、インクジェットヘッド２は各インク毎にノズル孔１７を有しており、各インクのノズル孔１７は、同一の（つまり１つの）キャップ部材１２（キャップ部）でキャッピングされている。
【００８０】
インクカートリッジ３は、本実施形態のようにキャリッジ４に装着するものに限らず、これに替えて例えば、プリンター１の筐体側に装着しインク供給チューブを介してインクジェットヘッド２に供給するタイプのものであってもよい。インクカートリッジ３には、それぞれ、シアンインク、マゼンタインク、イエローインク、並びに、インクセットに備えられ得る、ブラックインク、及び特色インクが収容されている。
【００８１】
キャリッジ４は、主走査方向に架設された支持部材であるガイドロッド９に支持された状態で取り付けられたものである。また、キャリッジ４は、キャリッジ移動機構７によりガイドロッド９に沿って主走査方向に移動するものである。
【００８２】
リニアエンコーダ１０は、キャリッジ４の主走査方向上における位置を信号で検出するものである。この検出された信号は、位置情報として制御装置ＣＯＮＴに送信されるようになっている。制御装置ＣＯＮＴは、このリニアエンコーダ１０からの位置情報に基づいてインクジェットヘッド２の走査位置を認識し、インクジェットヘッド２による記録動作（吐出動作）などを制御するようになっている。また、制御装置ＣＯＮＴは、キャリッジ４の移動速度を可変制御可能な構成となっている。
【００８３】
図２は、本実施形態におけるインクジェットヘッド２に設けられたノズル孔１７の配列を示す概略図である。
【００８４】
図２に示すように、インクジェットヘッド２は、インクを吐出する複数のノズル孔１７が設けられたノズル面２１Ａを有する。インクの吐出面でもあるノズル面２１Ａには、複数のノズル孔１７ごとにノズル列１６が形成されている。各ノズル列１６においては、例えば異なる組成のインクを吐出可能になっている。本実施形態ではインクの組成に対応して４列、即ちノズル列１６（第１インク）、ノズル列１６（第２インク）、ノズル列１６（第３インク）、およびノズル列１６（第４インク）が設けられている。各ノズル列１６は、例えば１８０個のノズル孔１７によって構成されている。
【００８５】
図３は、本実施形態におけるインクジェットヘッド２の内部構成を示す部分断面図である。
【００８６】
図３に示すように、インクジェットヘッド２は、ヘッド本体１８と、ヘッド本体１８に接続された流路形成ユニット２２と、を備えている。流路形成ユニット２２は、振動板１９と、流路基板２０と、ノズル基板２１と、を備えると共に、共通インク室２９と、インク供給口３０と、圧力室３１と、を形成する。さらに、流路形成ユニット２２は、ダイヤフラム部として機能する島部３２と、共通インク室２９内の圧力変動を吸収するコンプライアンス部３３と、を備える。ヘッド本体１８には、固定部材２６と共に駆動ユニット２４を収容する収容空間２３と、インクを流路形成ユニット２２に案内する内部流路２８と、が形成される。
【００８７】
上記構成、即ちピエゾ式のインクジェットヘッド２によれば、ケーブル２７を介して駆動ユニット２４に駆動信号が入力されると、圧電素子２５が伸縮する。これにより、振動板１９が圧力室３１に接近する方向及び離れる方向に変形（移動）する。このため、圧力室３１の容積が変化し、インクを収容した圧力室３１の圧力が変動する。この圧力の変動によって、ノズル孔１７から、インクが吐出される。
【００８８】
図１に戻り、インクジェットヘッド２の移動範囲のうちプラテン５の外側の領域には、インクジェットヘッド２の走査起点となるホームポジションが設定されている。このホームポジションには、メンテナンスユニット１１が設けられている。メンテナンスユニット１１は、印字動作以外でインクジェットヘッド２をキャップ部材１２（キャップ部）でキャッピングしてインクの蒸発を抑制する保湿動作と、インクジェットヘッド２の各ノズル孔１７からインクをキャップ部材１２に予備吐出させることで増粘インクによるノズル孔１７の目詰まり防止やノズル孔１７のメニスカスを調整してインクジェットヘッド２から正常にインクを吐出させるフラッシング動作と、キャップ部材１２でインクジェットヘッド２をキャッピングした後に不図示の吸引ポンプを駆動させて各ノズル孔１７から粘性が高くなったインクや付着したゴミ等を強制吸引してメニスカスを調整し、インクジェットヘッド２から正常にインクを吐出させる吸引動作（ヘッドクリーニング）と、インクジェットヘッド２のノズル面２１Ａ（図２参照）をワイプ部材１３で払拭（ワイピング）することでノズル孔１７近傍に付着したインクや増粘したインク等を除去したり、ノズル孔１７のメニスカスを破壊してメニスカスを再調整させるパージ処理を行うワイピング動作と、を実行する構成となっている。
【実施例】
【００８９】
以下、本発明を実施例及び比較例を用いてより具体的に説明する。本発明は、以下の実施例によって何ら限定されるものではない。
【００９０】
［インク用の材料］
下記の実施例及び比較例において使用したインク用の主な材料は、以下の通りである。
〔顔料〕
カーボンブラック
Ｃ．Ｉ．ピグメントブルー１５：４
Ｃ．Ｉ．ピグメントレッド１２２
Ｃ．Ｉ．ピグメントイエロー７４
〔保湿剤〕
グリセリン
トリメチルグリシン
トリメチロールプロパン
〔界面活性剤〕
オルフィンＥ１０１０（アセチレングリコール系界面活性剤、日信化学工業社製）
〔浸透剤〕
１，２−ヘキサンジオール
トリエチレングリコールモノブチルエーテル
〔樹脂〕
アクリル酸エステル重合体（Ｔｇ：−６０℃、重量平均分子量：２０００、東亞合成社製）
スチレンアクリル酸共重合体（Ｔｇ：８０℃、重量平均分子量：２９００００、ＢＡＳＦジャパン社製）
〔ピロリドン誘導体〕
２−ピロリドン
〔ｐＨ調整剤〕
トリプロパノールアミン
【００９１】
［インクの調製］
各材料を下記の表１〜４に示す組成（質量％）で混合し、十分に撹拌し、シアンインクＣ１−Ａ〜Ｃ１０−Ａ、マゼンタインクＭ１−Ａ〜Ｍ１０−Ａ、イエローインクＹ１−Ａ〜Ｙ１０−Ａ、ブラックインクＫ１−Ｂ〜Ｋ１０−Ｂ、シアンインクＣ１−Ｂ〜Ｃ１０−Ｂ、マゼンタインクＭ１−Ｂ〜Ｍ１０−Ｂ、イエローインクＹ１−Ｂ〜Ｙ１０−Ｂをそれぞれ得た。得られた各インクを、表１〜４に示すインクセットとして組み合わせ、実施例及び比較例で用いた。
【００９２】
（粘度の測定方法）
振動型粘度計（ＹＭＡＩＣＨＩ  ＥＬＥＣＴＲＯＮＩＣＳ  製  ＶＭ−１００）を使用して、測定温度２０℃で安定した値を各インクの粘度として読み取った。
【００９３】
［実施例１Ａ〜５Ａ、比較例１Ａ〜６Ａ、実施例１Ｂ〜４Ｂ、比較例１Ｂ〜６Ｂ］
インクジェット記録装置としてＰＸ−Ｂ５１０（セイコーエプソン社（Ｓｅｉｋｏ  Ｅｐｓｏｎ  Ｃｏｒｐｏｒａｔｉｏｎ）製）を用いた。ＰＸ−Ｂ５１０は、インクセットの各インクを収容するインクカートリッジと、ノズルを有するインクジェットヘッドと、ノズルを同一のキャップでキャッピングするキャップ部と、を備える。
【００９４】
〔目詰まり回復性評価〕 
上記で得られた各インクセットを、ＰＸ−Ｂ５１０のインクカートリッジに充填して装着した。その後、プリンタードライバーを用いて、プリンターのヘッドにインクを充填し、目詰まりしているノズルがなく、通常記録できることを確認した。その後、通常の使用手順に従い、スイッチを押して通電を切り、コンセントを抜いた。このように、インクカートリッジとヘッドキャップを装着した通常状態で、ＰＸ−Ｂ５１０を４０℃、４５ＲＨ％の環境下で１ヶ月間放置した。
【００９５】
放置後、プリンターの電源を入れ、通電後の初期クリーニングを経て、以下の評価基準により目詰まり回復性を評価した。
（評価基準）
○：通電後の初期フラッシング後に、ノズル抜けの発生なし。
×：通電後の初期フラッシング後でも、ノズル抜けの発生あり。
【００９６】
〔吐出安定性評価〕
上記「目詰まり回復性評価」と同様にしてＰＸ−Ｂ５１０を４０℃、４５ＲＨ％の環境下で１ヶ月間放置した後、プリンターの電源を入れ、通電後の初期クリーニングを経て、罫線パターンの印刷を行った。得られた罫線パターンについて、罫線のずれ量を光学顕微鏡で測定し、以下の評価基準により吐出安定性を評価した。
（評価基準）
○：罫線のずれ量が８０μｍ以上
△：罫線のずれ量が８０μｍ未満
【００９７】
〔発色性〕
上記で得られたインクセットを、ＰＸ−Ｂ５１０のインクカートリッジに充填して装着した。その後、プリンタードライバーを用いて、プリンターのヘッドにインクを充填し、目詰まりしているノズルがなく、通常記録できることを確認した。その後、被記録媒体ＸＥＲＯＸ社４２００紙に対し、各インクのベタパターンをそれぞれ記録した。得られた記録物のＯＤ値をＧｒｅｔａｇ Ｍａｃｂｅｔｈ社製の測色器ＳＰＭ５０にて測定し、発色性を評価した。評価基準を以下に示す。
（評価基準）
○：全てのベタパターンのＯＤ値が０．９以上
×：少なくともひとつのベタパターンのＯＤ値が０．８未満
【００９８】
【表１】
2015021031.tif 000002
【００９９】
【表２】
2015021031.tif 000003
【０１００】
【表３】
2015021031.tif 000004
【０１０１】
【表４】
2015021031.tif 000005
【０１０２】
以上のように本発明によれば、発色性がよく、目詰まり回復性と吐出安定性に優れたインクセットを提供できることが分かった。また、実施例１Ａと実施例２Ａとの比較により、各インク間で、各インクの総量１００質量％に対する顔料及びトリメチロールプロパンの合計含有割合の差が、最大で３．０質量％以下であることにより、吐出安定性により優れることが分かった。また、実施例１Ａと実施例３Ａ、４Ａとの比較により、各インクの水の含有割合が、前記各インクの総量１００質量％に対して５０〜６０質量％であることにより、吐出安定性により優れることが分かった。
【０１０３】
また、実施例１Ｂと実施例２Ｂとの比較により、各インクの粘度差が、最大で１．０ｍＰａ・ｓ以下であることにより、吐出安定性により優れることが分かった。また、実施例１Ｂと実施例３Ｂ、４Ｂとの比較により、各インクの水の含有割合が、前記各インクの総量１００質量％に対して５０〜６０質量％であることにより、吐出安定性により優れることが分かった。
【符号の説明】
【０１０４】
１…プリンター、２…インクジェットヘッド、３…インクカートリッジ、４…キャリッジ、５…プラテン、６…被記録媒体、７…キャリッジ移動機構、８…媒体送り機構、９…ガイドロッド、１０…リニアエンコーダ、１１…メンテナンスユニット、１２…キャップ部材、１３…ワイプ部材、１６…ノズル列、１７…ノズル孔、１８…ヘッド本体、１９…振動板、２０…流路基板、２１…ノズル基板、２１Ａ…ノズル面、２２…流路形成ユニット、２３…収容空間、２４…駆動ユニット、２５…圧電素子、２６…固定部材、２７…ケーブル、２８…内部流路、２９…共通インク室、３０…インク供給口、３１…圧力室、３２…島部、３３…コンプライアンス部、ＣＯＮＴ…制御装置
【図１】
2015021031.tif 000006
【図２】
2015021031.tif 000007
【図３】
2015021031.tif 000008